(57)【要約】【課題】本発明はハロウィーンカボチャライトを開示した。【解決手段】支持ロッドと前記支持ロッドの左端に固定されるロープとを含み、前記ロープの下側にはカボチャライトが掛けられ、前記カボチャライトの中には左方に開口した移動チャンバが設置され、前記移動チャンバの下端壁の中には上方に開口したスライドチャンバが設置され、前記スライドチャンバの右端壁の中には伝動チャンバが設置され、前記伝動チャンバの中にはモータが設置され、前記支持ロッドの右端には前記モータの起動と前記モータの正方向回転とを制御する制御ブロックが設置され、前記移動チャンバの中には収納ボックスが設置され、前記収納ボックスの中にはキャンディーを収納する収納チャンバが設置される。【選択図】図１
2020184496.tif 000002
【特許請求の範囲】
【請求項１】
正面視で、支持ロッドと前記支持ロッドの左端に固定されるロープとを含み、前記ロープの下側にはカボチャライトが掛けられ、前記カボチャライトの中には左方に開口した移動チャンバが設置され、前記移動チャンバの下端壁の中には上方に開口したスライドチャンバが設置され、前記スライドチャンバの右端壁の中には伝動チャンバが設置され、前記伝動チャンバの中にはモータが設置され、前記支持ロッドの右端には前記モータの起動と前記モータの正方向回転とを制御する制御ブロックが設置され、前記移動チャンバの中には収納ボックスが設置され、前記収納ボックスの中にはキャンディーを収納する収納チャンバが設置され、前記伝動チャンバの中には左端が前記移動チャンバの中に位置している移動ロッドと前記移動ロッドを復帰させることができる移動ばねが設置され、前記移動チャンバの上端壁には装置の運動にエネルギーを提供する電源ブロックが設置され、前記移動チャンバの下端壁の中には外部空間に連通している照明チャンバが設置され、前記照明チャンバの上端壁には電球が設置され、前記移動チャンバの中には前記電源ブロックのエネルギーを前記電球に伝達する電源線が設置され、前記移動ロッドの左端には前記電源線の電流を制御できる電気接続ブロックが固定的に設置され、前記移動チャンバの中には前記収納ボックスの左右移動を制御する移動機構が設置され、前記移動機構は右端が前記モータと伝動できるように連結され、且つ左端が前記スライドチャンバの中に位置している伝動軸を含み、前記伝動軸の左端にはスライドブロックがスライドできるように連結され、前記収納ボックスの中には下方に開口し、且つ前記スライドブロックの上端を収納する収納溝が設置され、前記スライドブロックの中には上方に開口した昇降溝が設置され、前記昇降溝の中には昇降板と前記昇降板を復帰させることができる昇降ばねとが設置され、前記収納チャンバの中には前記昇降板を下がらせることができる昇降ブロックが設置され、前記昇降溝の中には前記モータの逆方向回転を制御して、また前記昇降板の降りる位置を通じて前記モータの回転速度を制御するセンサーも設置され、前記昇降溝の右端壁の中には挟みチャンバが設置され、前記挟みチャンバの下端壁には上方に開口した上げ溝が設置され、前記上げ溝の下端壁の中には昇降チャンバが設置され、前記昇降チャンバの中には前記伝動軸と螺旋により連結されることができる螺旋ブロックと前記螺旋ブロックを復帰させることができる伸縮ばねとが設置され、前記上げ溝の中には退け合っている磁石ブロックと磁石ロッドとが設置され、前記昇降板の上端には右端が前記挟みチャンバの下端壁と前記昇降チャンバの上端壁とを貫通し、且つ前記螺旋ブロックと固定的に連結されるチェーンが設置され、前記磁石ロッドの上端が前記挟みチャンバの中に位置しており、且つ前記チェーンと当接しており、前記上げ溝の左端壁の中には右方に開口した押し出し溝が設置され、前記押し出し溝の中には前記磁石ロッドと前記磁石ブロックとを退け合わないようにさせることができる磁石仕切板と前記磁石仕切板を押し出すことができる圧縮ばねとが設置され、前記押し出し溝の上端壁には前記昇降溝に連通している貫通穴が設置され、前記貫通穴の左右端壁にはいずれも固定ブロックが固定され、前記貫通穴の中には上端が前記昇降溝の中に位置している磁石柱が設置され、前記磁石仕切板の中には上方に開口した位置制限溝が設置され、前記貫通穴の中には下端が前記位置制限溝の中に位置しており、且つ前記磁石柱と吸引し合える位置制限ブロックが設置され、前記磁石柱の下端には下端が前記固定ブロックと連結される二つの支持ばねが設置され、前記磁石仕切板の左端には上端が前記昇降板と連結される細い紐が設置され、前記伝動チャンバの中には前記モータが逆方向に回転するときに前記移動ロッドと前記電気接続ブロックとを制御することにより電球のオンオフを制御する回転機構が設置されることを特徴とするハロウィーンカボチャライト。
【請求項２】
前記移動機構は前記移動チャンバの上端壁の中に位置しており、且つ上方に開口した貫通チャンバも含み、前記移動チャンバの上端壁の中には回転溝が設置され、前記回転溝の前後端壁の間には回転軸が設置され、前記回転軸には下端が前記移動チャンバの中に位置しており、且つ前記移動チャンバを密封できる回転板が回転できるように連結され、前記収納チャンバの中には前記昇降ブロックの上端と連結される支持板が設置され、前記支持板の下端には前記支持板を支持する二つの支持ばねが設置されることを特徴とする請求項１に記載のハロウィーンカボチャライト。
【請求項３】
前記回転機構は前記伝動チャンバの後端壁に回転できるように連結される旋転軸を含み、前記旋転軸には第一傘歯車と回転輪とが固定的に設置され、前記伝動軸の右端には前記第一傘歯車と噛合している第二傘歯車が固定的に設置され、前記回転輪の上下両端にはいずれも支持ブロックが固定的に設置され、前記支持ブロックの中には旋転溝が設置され、前記旋転溝の前後端壁の間には従動軸が設置され、前記従動軸には上端が外部空間の中に位置している回し板がねじりばねにより連結され、前記移動ロッドの右端には移動板が設置されることを特徴とする請求項１に記載のハロウィーンカボチャライト。
【発明の詳細な説明】
【技術分野】
【０００１】
本発明はライト分野を取り上げて、具体的にはハロウィーンカボチャライトである。
【背景技術】
【０００２】
現在、ハロウィーンに使われているカボチャライトのほとんどは照明と弱いホラー効果を提供するが、ホラー効果が低く、また、子供たちがキャンディーを集めるとき、ほとんどが自分で集めるが、キャンディーが多すぎると、収納するところがない。
【先行技術文献】
【特許文献】
【０００３】
【特許文献１】中国特許出願公開第１０７７０１９９１号明細書
【発明の概要】
【発明が解決しようとする課題】
【０００４】
本発明の目的はハロウィーンカボチャライトを提供し、それは上記の現在の技術中の問題を解決できる。
【課題を解決するための手段】
【０００５】
上記の課題を解決するため、本発明は以下の技術プランを採用する：本発明のハロウィーンカボチャライトは、支持ロッドと前記支持ロッドの左端に固定されるロープとを含み、前記ロープの下側にはカボチャライトが掛けられ、前記カボチャライトの中には左方に開口した移動チャンバが設置され、前記移動チャンバの下端壁の中には上方に開口したスライドチャンバが設置され、前記スライドチャンバの右端壁の中には伝動チャンバが設置され、前記伝動チャンバの中にはモータが設置され、前記支持ロッドの右端には前記モータの起動と前記モータの正方向回転とを制御する制御ブロックが設置され、前記移動チャンバの中には収納ボックスが設置され、前記収納ボックスの中にはキャンディーを収納する収納チャンバが設置され、前記伝動チャンバの中には左端が前記移動チャンバの中に位置している移動ロッドと前記移動ロッドを復帰させることができる移動ばねが設置され、前記移動チャンバの上端壁には装置の運動にエネルギーを提供する電源ブロックが設置され、前記移動チャンバの下端壁の中には外部空間に連通している照明チャンバが設置され、前記照明チャンバの上端壁には電球が設置され、前記移動チャンバの中には前記電源ブロックのエネルギーを前記電球に伝達する電源線が設置され、前記移動ロッドの左端には前記電源線の電流を制御できる電気接続ブロックが固定的に設置され、前記移動チャンバの中には前記収納ボックスの左右移動を制御する移動機構が設置され、前記移動機構は右端が前記モータと伝動できるように連結され、且つ左端が前記スライドチャンバの中に位置している伝動軸を含み、前記伝動軸の左端にはスライドブロックがスライドできるように連結され、前記収納ボックスの中には下方に開口し、且つ前記スライドブロックの上端を収納する収納溝が設置され、前記スライドブロックの中には上方に開口した昇降溝が設置され、前記昇降溝の中には昇降板と前記昇降板を復帰させることができる昇降ばねとが設置され、前記収納チャンバの中には前記昇降板を下がらせることができる昇降ブロックが設置され、前記昇降溝の中には前記モータの逆方向回転を制御して、また前記昇降板の降りる位置を通じて前記モータの回転速度を制御するセンサーも設置され、前記昇降溝の右端壁の中には挟みチャンバが設置され、前記挟みチャンバの下端壁には上方に開口した上げ溝が設置され、前記上げ溝の下端壁の中には昇降チャンバが設置され、前記昇降チャンバの中には前記伝動軸と螺旋により連結されることができる螺旋ブロックと前記螺旋ブロックを復帰させることができる伸縮ばねとが設置され、前記上げ溝の中には退け合っている磁石ブロックと磁石ロッドとが設置され、前記昇降板の上端には右端が前記挟みチャンバの下端壁と前記昇降チャンバの上端壁とを貫通し、且つ前記螺旋ブロックと固定的に連結されるチェーンが設置され、前記磁石ロッドの上端が前記挟みチャンバの中に位置しており、且つ前記チェーンと当接しており、前記上げ溝の左端壁の中には右方に開口した押し出し溝が設置され、前記押し出し溝の中には前記磁石ロッドと前記磁石ブロックとを退け合わないようにさせることができる磁石仕切板と前記磁石仕切板を押し出すことができる圧縮ばねとが設置され、前記押し出し溝の上端壁には前記昇降溝に連通している貫通穴が設置され、前記貫通穴の左右端壁にはいずれも固定ブロックが固定され、前記貫通穴の中には上端が前記昇降溝の中に位置している磁石柱が設置され、前記磁石仕切板の中には上方に開口した位置制限溝が設置され、前記貫通穴の中には下端が前記位置制限溝の中に位置しており、且つ前記磁石柱と吸引し合える位置制限ブロックが設置され、前記磁石柱の下端には下端が前記固定ブロックと連結される二つの支持ばねが設置され、前記磁石仕切板の左端には上端が前記昇降板と連結される細い紐が設置され、前記伝動チャンバの中には前記モータが逆方向に回転するときに前記移動ロッドと前記電気接続ブロックとを制御することにより電球のオンオフを制御する回転機構が設置され、装置の作用は、キャンディーを集めるとき、前記モータにより前記移動機構の運動を制御し収納ボックスを押し出し、前記収納チャンバの中にあるキャンディーが足りないとき、前記センサーにより前記モータを制御し逆方向に回転させ、それにより前記電気接続ブロックを制御し前記電球を絶えず点滅させ、ライト効果を生成し、キャンディーが足りないと提示する。
【０００６】
優選的には、前記移動機構は前記移動チャンバの上端壁の中に位置しており、且つ上方に開口した貫通チャンバも含み、前記移動チャンバの上端壁の中には回転溝が設置され、前記回転溝の前後端壁の間には回転軸が設置され、前記回転軸には下端が前記移動チャンバの中に位置しており、且つ前記移動チャンバを密封できる回転板が回転できるように連結され、前記収納チャンバの中には前記昇降ブロックの上端と連結される支持板が設置され、前記支持板の下端には前記支持板を支持する二つの支持ばねが設置され、前記移動機構の作用は前記収納ボックスの左右運動を制御することであり、同時にキャンディーが足りないとき、前記モータの逆方向回転を制御する。
【０００７】
優選的には、前記回転機構は前記伝動チャンバの後端壁に回転できるように連結される旋転軸を含み、前記旋転軸には第一傘歯車と回転輪とが固定的に設置され、前記伝動軸の右端には前記第一傘歯車と噛合している第二傘歯車が固定的に設置され、前記回転輪の上下両端にはいずれも支持ブロックが固定的に設置され、前記支持ブロックの中には旋転溝が設置され、前記旋転溝の前後端壁の間には従動軸が設置され、前記従動軸には上端が外部空間の中に位置している回し板がねじりばねにより連結され、前記移動ロッドの右端には移動板が設置され、前記回転機構の作用は、前記モータが正方向に回転するとき、前記回し板が前記移動板を移動連動させることができなく、前記モータが逆方向に回転するとき、前記回し板が前記移動板を移動連動させることができる。
【発明の効果】
【０００８】
本発明の有益的な効果は：本装置は構造が簡単で、操作が便利であり、ハロウィーンにキャンディーを集めるとき、カボチャライトによりキャンディーを直接に集め、またキャンディーが足りないとき、カボチャライトの中にあるライトの点滅速度を制御することにより、キャンディーが足りないと提示し、またカボチャライトの中でライトが点滅することによりホラー効果を生成し、恐ろしい雰囲気を加え、遊びの楽しさを向上させた。
【図面の簡単な説明】
【０００９】
下記に図１〜４あわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のハロウィーンカボチャライトの全体全断面の正面構造概略図
【図２】図２は本発明のハロウィーンカボチャライトの伝動チャンバの全断面の左面拡大構造概略図
【図３】図３は本発明のハロウィーンカボチャライトの移動機構の局部断面の正面拡大構造概略図
【図４】図４は本発明のハロウィーンカボチャライトの回転機構の局部断面の正面拡大構造概略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜４を参照し、本発明のハロウィーンカボチャライトは、支持ロッド３と前記支持ロッド３の左端に固定されるロープ４とを含み、前記ロープ４の下側にはカボチャライト１が掛けられ、前記カボチャライト１の中には左方に開口した移動チャンバ１８が設置され、前記移動チャンバ１８の下端壁の中には上方に開口したスライドチャンバ１５が設置され、前記スライドチャンバ１５の右端壁の中には伝動チャンバ９が設置され、前記伝動チャンバ９の中にはモータ８が設置され、前記支持ロッド３の右端には前記モータ８の起動と前記モータ８の正方向回転とを制御する制御ブロック２が設置され、前記移動チャンバ１８の中には収納ボックス１７が設置され、前記収納ボックス１７の中にはキャンディーを収納する収納チャンバ２３が設置され、前記伝動チャンバ９の中には左端が前記移動チャンバ１８の中に位置している移動ロッド５と前記移動ロッド５を復帰させることができる移動ばね６が設置され、前記移動チャンバ２７の上端壁には装置の運動にエネルギーを提供する電源ブロック２７が設置され、前記移動チャンバ１８の下端壁の中には外部空間に連通している照明チャンバ１１が設置され、前記照明チャンバ１１の上端壁には電球１２が設置され、前記移動チャンバ１８の中には前記電源ブロック２７のエネルギーを前記電球１２に伝達する電源線２９が設置され、前記移動ロッド５の左端には前記電源線２９の電流を制御できる電気接続ブロック２８が固定的に設置され、前記移動チャンバ１８の中には前記収納ボックス１７の左右移動を制御する移動機構６０が設置され、前記移動機構６０は右端が前記モータ８と伝動できるように連結され、且つ左端が前記スライドチャンバ１５の中に位置している伝動軸１６を含み、前記伝動軸１６の左端にはスライドブロック１４がスライドできるように連結され、前記収納ボックス１７の中には下方に開口し、且つ前記スライドブロック１４の上端を収納する収納溝３８が設置され、前記スライドブロック１４の中には上方に開口した昇降溝４１が設置され、前記昇降溝４１の中には昇降板４２と前記昇降板４２を復帰させることができる昇降ばね４３とが設置され、前記収納チャンバ２３の中には前記昇降板４２を下がらせることができる昇降ブロック２６が設置され、前記昇降溝４１の中には前記モータ８の逆方向回転を制御して、また前記昇降板４２の降りる位置を通じて前記モータ８の回転速度を制御するセンサー４０も設置され、前記昇降溝４１の右端壁の中には挟みチャンバ４４が設置され、前記挟みチャンバ４４の下端壁には上方に開口した上げ溝４８が設置され、前記上げ溝４８の下端壁の中には昇降チャンバ５１が設置され、前記昇降チャンバ５１の中には前記伝動軸１６と螺旋により連結されることができる螺旋ブロック１３と前記螺旋ブロック１３を復帰させることができる伸縮ばね３６とが設置され、前記上げ溝４８の中には退け合っている磁石ブロック５０と磁石ロッド４５とが設置され、前記昇降板４２の上端には右端が前記挟みチャンバ４４の下端壁と前記昇降チャンバ５１の上端壁とを貫通し、且つ前記螺旋ブロック１３と固定的に連結されるチェーン６２が設置され、前記磁石ロッド４５の上端が前記挟みチャンバ４４の中に位置しており、且つ前記チェーン６２と当接しており、前記上げ溝４８の左端壁の中には右方に開口した押し出し溝５５が設置され、前記押し出し溝５５の中には前記磁石ロッド４５と前記磁石ブロック５０とを退け合わないようにさせることができる磁石仕切板５２と前記磁石仕切板５２を押し出すことができる圧縮ばね５６とが設置され、前記押し出し溝５５の上端壁には前記昇降溝４１に連通している貫通穴４９が設置され、前記貫通穴４９の左右端壁にはいずれも固定ブロック４７が固定され、前記貫通穴４９の中には上端が前記昇降溝４１の中に位置している磁石柱３７が設置され、前記磁石仕切板５２の中には上方に開口した位置制限溝５３が設置され、前記貫通穴４９の中には下端が前記位置制限溝５３の中に位置しており、且つ前記磁石柱３７と吸引し合える位置制限ブロック５４が設置され、前記磁石柱３７の下端には下端が前記固定ブロック４７と連結される二つの支持ばね４６が設置され、前記磁石仕切板５２の左端には上端が前記昇降板４２と連結される細い紐３９が設置され、前記伝動チャンバ９の中には前記モータ８が逆方向に回転するときに前記移動ロッド５と前記電気接続ブロック２８とを制御することにより電球１２のオンオフを制御する回転機構６１が設置され、装置の作用は、キャンディーを集めるとき、前記モータ８により前記移動機構６０の運動を制御し収納ボックス１７を押し出し、前記収納チャンバ２３の中にあるキャンディーが足りないとき、前記センサー４０により前記モータ８を制御し逆方向に回転させ、それにより前記電気接続ブロック２８を制御し前記電球１２を絶えず点滅させ、ライト効果を生成し、キャンディーが足りないと提示する。
【００１３】
有益的には、前記移動機構５０は前記移動チャンバ１８の上端壁の中に位置しており、且つ上方に開口した貫通チャンバ２５も含み、前記移動チャンバ１８の上端壁の中には回転溝２０が設置され、前記回転溝２０の前後端壁の間には回転軸２１が設置され、前記回転軸２１には下端が前記移動チャンバ１８の中に位置しており、且つ前記移動チャンバ１８を密封できる回転板１９が回転できるように連結され、前記収納チャンバ２３の中には前記昇降ブロック２６の上端と連結される支持板２４が設置され、前記支持板２４の下端には前記支持板２４を支持する二つの支持ばね２２が設置され、前記移動機構５０の作用は前記収納ボックス１７の左右運動を制御することであり、同時にキャンディーが足りないとき、前記モータ８の逆方向回転を制御する。
【００１４】
有益的には、前記回転機構６１は前記伝動チャンバ９の後端壁に回転できるように連結される旋転軸３１を含み、前記旋転軸３１には第一傘歯車３４と回転輪３３とが固定的に設置され、前記伝動軸１６の右端には前記第一傘歯車３４と噛合している第二傘歯車３５が固定的に設置され、前記回転輪３３の上下両端にはいずれも支持ブロック３２が固定的に設置され、前記支持ブロック３２の中には旋転溝３２が設置され、前記旋転溝３２の前後端壁の間には従動軸５８が設置され、前記従動軸５８には上端が外部空間の中に位置している回し板３０がねじりばね５７により連結され、前記移動ロッド５の右端には移動板７が設置され、前記回転機構６１の作用は、前記モータ８が正方向に回転するとき、前記回し板３０が前記移動板７を移動連動させることができなく、前記モータ８が逆方向に回転するとき、前記回し板３０が前記移動板７を移動連動させることができる。
【００１５】
下記に、図１〜４と上記記述した本出願のハロウィーンカボチャライトの具体的な構成を参考し、本出願のハロウィーンカボチャライトの使用方法を詳しく紹介する：
【００１６】
初期状態に、螺旋ブロック１３と伝動軸１６とが螺旋により連結され、電球１２が電気接続ブロック２８の作用により点灯され、昇降板４２が下がった後、センサー４０が作動され、また昇降板４２が下がった距離が大きければ大きいほど、センサー４０がモータ８を制御し逆方向に回転させる速度が遅くなる。
【００１７】
キャンディーを収納するとき、制御ブロック２を押しモータ８を制御し正方向に回転させ、それにより伝動軸１６を回転させ、螺旋ブロック１３を制御し左に運動させ、それによりスライドブロック１４に収納ボックス１７を外部空間の中に位置するまで左に運動連動させ、収納チャンバ２３の中にキャンディーを入れ、入れたキャンディーが少ない場合、支持板２４が昇降ブロック２６を連動させて下がらせ、それにより昇降板４２を下がらせ、昇降板４２が下がった距離が少なく、それによりセンサー４０がモータ８を制御し逆方向に回転させ、またモータ８の回転速度が速くなり、同時に昇降板４２の下がりはチェーン６２の伝動を通じて螺旋ブロック１３を上昇連動させ、前記伝動軸１６との連結から離脱させ、モータ８が逆方向に回転し伝動軸１６を逆方向に回転連動させ、それにより第二傘歯車３５に第一傘歯車３４を逆方向に回転連動させ、それにより旋転軸３１と回転輪３３とを逆方向に回転させ、それにより回しロッド３０に移動板７を左に運動連動させ、それにより移動ロッド５を左に運動させ、移動ばね６が伸び、回しロッド３０と移動板７とが離脱された後、移動ばね６が復帰するとき移動板７と移動ロッド５とが復帰し、それにより電気接続ブロック２８を左右に運動させ、電球１２のオンとオフを絶えず制御し、モータ８の回転速度が速ければ速いほど、電球１２の点滅速度が速くなり、カボチャライト１によって生成されるライトの効果がより良くなり、キャンディーが足りないと提示する。
【００１８】
キャンディーが十分になるとき、昇降ブロック２６が一番下側まで下がり、それにより昇降板４２を一番下側まで下がらせ、センサー４０がモータ８を制御し逆方向に回転させ、また回転速度が一番遅くなり、電球１２の点滅速度が一番遅くなり、昇降板４２が磁石柱３７を連動させて下がらせ、位置制限ブロック５４に最も接近すると位置制限ブロック５４を上に吸引し、それにより位置制限ブロック５４を位置制限溝５３から離脱させ、磁石仕切板５２が圧縮ばね５６の作用により押し出され上げ溝４８の中に入り、それにより磁石ブロック５０と磁石ロッド４５とを退け合わないようにさせ、磁石ロッド４５が下がり、チェーン６２が緩められ、螺旋ブロック１３と伝動軸１６とが再びネジ山により係合され、伝動軸１６が逆方向に回転し移動機構６１を復帰連動させ、モータ８が作動を止め、貫通チャンバ２５によりキャンディーを取り出した後、移動機構６０が各ばねの作用により復帰する。
【００１９】
本発明の有益的な効果は：本装置は構造が簡単で、操作が便利であり、ハロウィーンにキャンディーを集めるとき、カボチャライトによりキャンディーを直接に集め、またキャンディーが足りないとき、カボチャライトの中にあるライトの点滅速度を制御することにより、キャンディーが足りないと提示し、またカボチャライトの中でライトが点滅することによりホラー効果を生成し、恐ろしい雰囲気を加え、遊びの楽しさを向上させた。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020184496.tif 000003
【図２】
2020184496.tif 000004
【図３】
2020184496.tif 000005
【図４】
2020184496.tif 000006